(57)【要約】【課題】未使用の、または使いかけのマスクを見栄えよく、かつ衛生的に収容することができるマスクケースを提供する。【解決手段】本考案に係るマスクケースは、折り畳まれることによりマスク１００の本体部を挟み込む、抗菌性を有する紙製の保護シート２０と、折り畳まれることによりマスク１００の本体部および保護シート２０を挟み込む、保護シート２０よりも厚手の紙製の内側シート３０と、折り畳まれることによりマスク１００の本体部および保護シート２０を挟み込んだ内側シート３０を収容する紙製の外側シート４０とを備えている。【選択図】図７
0003222103.tif 000002
【実用新案登録請求の範囲】
【請求項１】
マスクを見栄えよく、かつ衛生的に収容するためのマスクケースであって、
折り畳まれることにより前記マスクの本体部を挟み込む、抗菌性を有する紙製の保護シートと、
折り畳まれることにより前記マスクの本体部および前記保護シートを挟み込む、前記保護シートよりも厚手の紙製の内側シートと、
折り畳まれることにより前記マスクの本体部および前記保護シートを挟み込んだ前記内側シートを収容する紙製の外側シートと、
を備えたことを特徴とするマスクケース。
【請求項２】
前記外側シートは、
実質的に同一の長方形状を有する第１主シート部および第２主シート部と、
前記第１主シート部の左右の短辺に各１つ設けられた第１押さえ部と、
前記第２主シート部の左右の短辺に各１つ設けられた第２押さえ部と、
前記第１主シート部の長辺の１つに設けられた第３押さえ部と、
前記第２主シート部の長辺の１つに設けられたフラップ部と、
を有し、
前記第１主シート部の別の長辺と前記第２主シート部の別の長辺とが接続され、
前記第１押さえ部および前記第３押さえ部を前記第１主シート部の内面に重ねるように折り畳むことにより、前記マスクの本体部および前記保護シートを挟み込んだ前記内側シートが前記第１主シート部の該内面上に保持され、
前記第２押さえ部を前記第２主シート部の内面に第２に重ねるように折り畳むことにより、少なくとも１枚の予備の保護シートが前記第２主シート部の該内面上に保持され、
前記第２主シート部を該第２主シート部の内面と前記第１主シート部の内面とが対向するように折り畳み、かつ前記フラップ部を前記第１主シート部の外面に重なるように折り畳むことにより、前記フラップ部に設けられた係止舌部を該外面に設けられた係止孔部に係止させことが可能となる
ことを特徴とする請求項１に記載のマスクケース。
【請求項３】
前記第２主シート部と前記第２押さえ部との間に、前記第２主シート部の内面上に保持される前記予備の保護シートの厚みに対応した幅の第１帯部が設けられている
ことを特徴とする請求項２に記載のマスクケース。
【請求項４】
前記第２主シート部と前記第１主シート部との間に、前記第１帯部よりも幅広の第２帯部が設けられ、前記第２主シート部と前記フラップ部との間に、前記第２帯部と同幅の第３帯部が設けられている
ことを特徴とする請求項３に記載のマスクケース。
【考案の詳細な説明】
【技術分野】
【０００１】
本考案は、マスクを見栄えよく、かつ衛生的に収容するためのマスクケースに関する。
【背景技術】
【０００２】
近年、花粉やインフルエンザウイルス等の各種異物の吸引を防ぐために、不織布からなるマスクを日常的に使用する人が増えてきている。このタイプのマスクは、従来の布製のマスクに比べれば安価で使い捨てに適しているが、食事等の一時的にマスクを使用できなくなるときに捨ててしまうのはさすがにもったいない。このため、マスクを一時的かつ衛生的に収容することを目指したマスクケースが種々検討されている。
【０００３】
例えば、特許文献１には、抗菌性を有する樹脂製シートを中央で折り曲げて重ね合わせるとともに、折り曲げ部に接する一方の辺を溶着しただけのシンプルな構成を有するマスクケースが開示されている。
【先行技術文献】
【特許文献】
【０００４】
【特許文献１】実用新案登録第３１５８３１７号公報
【考案の概要】
【考案が解決しようとする課題】
【０００５】
しかしながら、上記従来のマスクケースでは、折り曲げ部に接する他方の辺（すなわち、溶着されていない辺）および折り曲げ部に対向した辺から収容されたマスクがはみ出して見栄えが悪くなることがあった。また、このマスクケースでは、マスクとマスクケースとが直接的に触れ合うため、マスクに付着した唾液等の汚れがマスクケースに移ってしまうことがあった。
【０００６】
本考案は、上記事情に鑑みてなされたものであって、未使用の、または使いかけのマスクを見栄えよく、かつ衛生的に収容することができるマスクケースを提供することを課題とする。
【課題を解決するための手段】
【０００７】
上記課題を解決するために、本考案に係るマスクケースは、マスクを見栄えよく、かつ衛生的に収容するためのマスクケースであって、折り畳まれることによりマスクの本体部を挟み込む、抗菌性を有する紙製の保護シートと、折り畳まれることによりマスクの本体部および保護シートを挟み込む、保護シートよりも厚手の紙製の内側シートと、折り畳まれることによりマスクの本体部および保護シートを挟み込んだ内側シートを収容する紙製の外側シートとを備えている。
【０００８】
上記マスクケースは、外側シートが、実質的に同一の長方形状を有する第１主シート部および第２主シート部と、第１主シート部の左右の短辺に各１つ設けられた第１押さえ部と、第２主シート部の左右の短辺に各１つ設けられた第２押さえ部と、第１主シート部の長辺の１つに設けられた第３押さえ部と、第２主シート部の長辺の１つに設けられたフラップ部とを備え、第１主シート部の別の長辺と第２主シート部の別の長辺とが接続され、第１押さえ部および第３押さえ部を第１主シート部の内面に重ねるように折り畳むことにより、マスクの本体部および保護シートを挟み込んだ内側シートが第１主シート部の該内面上に保持され、第２押さえ部を第２主シート部の内面に第２に重ねるように折り畳むことにより、少なくとも１枚の予備の保護シートが第２主シート部の該内面上に保持され、第２主シート部を該第２主シート部の内面と第１主シート部の内面とが対向するように折り畳み、かつフラップ部を第１主シート部の外面に重なるように折り畳むことにより、フラップ部に設けられた係止舌部を該外面に設けられた係止孔部に係止させことが可能となる、との構成を有していてもよい。
【０００９】
この場合、上記マスクケースは、第２主シート部と第２押さえ部との間に、第２主シート部の内面上に保持される予備の保護シートの厚みに対応した幅の第１帯部が設けられていることが好ましい。
【００１０】
また、上記マスクケースは、第２主シート部と第１主シート部との間に、第１帯部よりも幅広の第２帯部が設けられ、第２主シート部とフラップ部との間に、第２帯部と同幅の第３帯部が設けられていることがさらに好ましい。
【考案の効果】
【００１１】
本考案によれば、未使用の、または使いかけのマスクを見栄えよく、かつ衛生的に収容することができるマスクケースを提供することができる。
【図面の簡単な説明】
【００１２】
【図１】本考案の実施例に係るマスクケースを示す図である。
【図２】本考案の実施例に係るマスクケースを構成する保護シートを示す図である。
【図３】図２に示した保護シートの使い方を示す図である。
【図４】本考案の実施例に係るマスクケースを構成する内側シートを示す図である。
【図５】図４に示した内側シートの使い方を示す図である。
【図６】本考案の実施例に係るマスクケースを構成する外側シートを示す図である。
【図７】図６に示した外側シートの使い方を示す図である。
【図８】図６に示した外側シートの使い方を示す図である。
【図９】図６に示した外側シートの使い方を示す図である。
【考案を実施するための形態】
【００１３】
以下、添付図面を参照しつつ、本考案に係るマスクケースの実施例について説明する。なお、各図中の一点鎖線は谷折りされる部分を示し、二点鎖線は山折りされる部分を示している。
【００１４】
図１に、本考案の実施例に係るマスクケース１０を示す。マスクケース１０は、同図において見ることができる外側シート４０に加え、保護シート２０および内側シート３０を備えている。保護シート２０および内側シート３０は、マスク１００とともに、折り畳まれた外側シート４０に外部から見えないように収容されている。
【００１５】
図２に示すように、保護シート２０は、縦１９４ｍｍ×横１８５ｍｍの寸法の抗菌性を有する１枚の紙からなっており、長方形状を有する第１シート部２１と、同じく長方形状を有する第２シート部２２と、これらの境界線上にある折り曲げ線２３とを有している。
【００１６】
保護シート２０は、折り曲げ線２３に沿って半分に折り畳まれることにより、マスク１００の本体部（以下、「マスク本体部」という）１０１を挟み込む（図３参照）。
【００１７】
なお、抗菌性を有しているのは、マスク本体部１０１の内面（着用時に人体に触れることになる面）に触れる第２シート部２２のみであってもよい。
【００１８】
図４に示すように、内側シート３０は、縦２０６ｍｍ×横１９３ｍｍの寸法の比較的厚手の１枚の紙（保護シート２０よりも厚手の紙）からなっており、概ね長方形状を有する第１シート部３１と、同じく概ね長方形状を有する第２シート部３２と、これらの境界線上にある折り曲げ線３３とを有している。また、第１シート部３１は、左右の短辺に各２つ設けられた半円状の切り欠き３４と、切り込み加工によって形成された２つの引っ掛け部３５とを有している。
【００１９】
内側シート３０は、折り曲げ線３３に沿って半分に折り畳まれることにより、マスク本体部１０１を挟み込んだ保護シート２０を挟み込む（図５参照）。このとき、マスク１００の耳掛け紐１０２は、邪魔にならないように、引っ掛け部３５に引っ掛けることができる（図７参照）。また、切り欠き３４に耳掛け紐１０２を通すことにより、第１シート部３１と第２シート部３２との間におけるマスク本体部１０１の位置ずれを緩和することができる。
【００２０】
図６に示すように、外側シート４０は、比較的厚手の１枚の紙（内側シート３０と同程度の厚手の紙）からなっており、同一の長方形状を有する第１主シート部４１および第２主シート部４４と、第１主シート部４１の左右の短辺に各１つ設けられた第１押さえ部４２と、第２主シート部４４の左右の短辺に各１つ設けられた第２押さえ部４５と、第１主シート部４１の長辺の１つに設けられた第３押さえ部４３と、第２主シート部４４の長辺の１つに設けられたフラップ部４６と、第１主シート部４１および第２主シート部４４の間に設けられた第２帯部４７と、第２主シート部４４および第２押さえ部４５の間に設けられた第１帯部４８と、第２主シート部４４およびフラップ部４６の間に設けられた第３帯部４９とを有している。
【００２１】
また、外側シート部４０は、第１主シート部４１と第３押さえ部４３との境界線上にある第１折り曲げ線５０、第１主シート部４１と第１押さえ部４２との境界線上にある第２折り曲げ線５１と、第１主シート部４１と第２帯部４７との境界線上にある第３折り曲げ線５２と、第２帯部４７と第２主シート部４４との境界線上にある第４折り曲げ線５３と、第２主シート部４４と第１帯部４８との境界線上にある第５折り曲げ線５４と、第１帯部４８と第２押さえ部４５との境界線上にある第６折り曲げ線５５と、第２主シート部４４と第３帯部４９との境界線上にある第７折り曲げ線５６と、第３帯部４９とフラップ部４６との境界線上にある第８折り曲げ線５７とをさらに有している。
【００２２】
第１主シート部４１は、打ち抜き加工によって形成された係止孔部６１を有している。また、フラップ部４６は、切り込み加工によって形成された係止舌部６０と、係止舌部６０の付け根部分を通る第９折り曲げ線５８とを有している。
【００２３】
第１主シート部４１および第２主シート部４４のそれぞれは、縦１１０ｍｍ×横２００ｍｍの寸法を有している。第１押さえ部４２および第２押さえ部４５のそれぞれは、４０ｍｍの横方向寸法を有している。第３押さえ部４３は、９０ｍｍの縦方向寸法を有している。そして、フラップ部４６は、４５ｍｍの縦方向寸法を有している。
【００２４】
また、第２帯部４７および第３帯部４９のそれぞれは、４ｍｍの幅を有している。そして、第１帯部４８は、３ｍｍの幅を有している。
【００２５】
この外側シート４０に、未使用の、または使いかけのマスク１００を収容する手順は以下の通りである。
【００２６】
手順１：マスク本体部１０１を保護シート２０で挟み込む（図３参照）。
【００２７】
手順２：マスク本体部１０１を挟み込んだ状態の保護シート２０を内側シート３０で挟み込む（図５参照）。
【００２８】
手順３：マスク本体部１０１および保護シート２０を挟み込んだ状態の内側シート３０を外側シート４０の第１主シート部４１の内面（図６（Ａ）において見ることができる面）上に載置するとともに、１枚または複数枚の予備の保護シート２０がある場合は、これを第２主シート部４４の内面（図６（Ａ）において見ることができる面）上に載置する（図７参照）。
【００２９】
手順４：第２折り曲げ線５１に沿って第１押さえ部４２を第１主シート部４１の内面に重なるように折り畳み、次いで、第１折り曲げ線５０に沿って第３押さえ部４３を第１主シート部４１の内面に重なるように折り畳む（図８参照）。これにより、第１主シート部４１の内面上にマスク１００等が保持される。
【００３０】
手順５：第５折り曲げ線５４および第６折り曲げ線５５に沿って第２押さえ部４５を第２主シート部４４の内面に重なるように折り畳む（図９参照）。これにより、第２主シート部４４の内面上に予備の保護シート２０が保持される。本実施例では、第２主シート部４４と第２押さえ部４５との間に予備の保護シート２０の厚みに対応した幅の第１帯部４８が設けられているので、上記保持の際に第２押さえ部４５が不自然に折れ曲がることはない。本実施例では、予備の保護シート２０の枚数が５であることを考慮して第１帯部４８の幅を３ｍｍとしたが、予備の保護シート２０の枚数が１０である場合は、第１帯部４８の幅を５ｍｍ程度とすればよい。
【００３１】
手順６：第３折り曲げ線５２および第４折り曲げ線５３に沿って、第２主シート部４４を該第２主シート部４４の内面と第１主シート部４１の内面とが対向するように折り畳む。本実施例では、第１主シート部４１と第２主シート部４４との間に第１帯部４８よりも幅広の第２帯部４７が設けられているので、第１主シート部４１および第２主シート部４４を美しく対向させることができる。
【００３２】
手順７：第７折り曲げ線５６および第８折り曲げ線５７に沿って、フラップ部４６を第１主シート部４１の外面（図６（Ｂ）において見ることができる面）に重なるように折り畳む。本実施例では、第２主シート部４４とフラップ部４６との間に第２帯部４７と同幅の第３帯部４９が設けられているので、フラップ部４６を第１主シート部４１に美しく重ねることができる。
【００３３】
手順８：最後に、係止舌部６１を係止孔部６０に挿し込む。このとき、第９折り曲げ線５８に沿ってフラップ部４６を少しだけ折り曲げることにより、挿し込みが容易になる。
【００３４】
以上の手順１〜手順８により、本実施例に係るマスクケース１０は、図１に示された状態となる。
【００３５】
本実施例に係るマスクケース１０によれば、未使用の、または使いかけのマスク１００を外部から見えないように見栄えよく収容することができる。
【００３６】
また、本実施例に係るマスクケース１０では、マスク本体部１０１が比較的厚手の内側シート３０によって挟み込まれる。このため、このマスクケース１０によれば、収容中にマスク本体部１０１が型崩れするのを防ぐことができる。
【００３７】
また、本実施例に係るマスクケース１０では、マスク本体部１０１に直接的に接するのは保護シート２０のみであり、内側シート３０および外側シート４０がマスク本体部１０１に直接的に接することはない。このため、このマスクケース１０によれば、保護シート２０を予備の保護シート２０に交換するだけで、次のマスク１００を衛生的に収容することができる。
【００３８】
なお、本考案は、上記実施例に限定されるものではなく、実用新案登録請求の範囲に記載された本考案の趣旨を逸脱しない範囲内で種々の変形を含んでいてもよい。例えば、本考案に係るマスクケースは、第１帯部、第２帯部および第３帯部が省略されていてもよい。
【符号の説明】
【００３９】
１０    マスクケース
２０    保護シート
２１    （保護シートの）第１シート部
２２    （保護シートの）第２シート部
２３    （保護シートの）折り曲げ線
３０    内側シート
３１    （内側シートの）第１シート部
３２    （内側シートの）第２シート部
３３    （内側シートの）折り曲げ線
３４    切り欠き
３５    引っ掛け部
４０    外側シート
４１    第１主シート部
４２    第１押さえ部
４３    第３押さえ部
４４    第２主シート部
４５    第２押さえ部
４６    フラップ部
４７    第２帯部
４８    第１帯部
４９    第３帯部
５０    第１折り曲げ線
５１    第２折り曲げ線
５２    第３折り曲げ線
５３    第４折り曲げ線
５４    第５折り曲げ線
５５    第６折り曲げ線
５６    第７折り曲げ線
５７    第８折り曲げ線
５８    第９折り曲げ線
６０    係止舌部
６１    係止孔部
１００    マスク
１０１    本体部
１０２    耳掛け紐
【図１】
0003222103.tif 000003
【図２】
0003222103.tif 000004
【図３】
0003222103.tif 000005
【図４】
0003222103.tif 000006
【図５】
0003222103.tif 000007
【図６】
0003222103.tif 000008
【図７】
0003222103.tif 000009
【図８】
0003222103.tif 000010
【図９】
0003222103.tif 000011
【手続補正書】
【提出日】令和1年5月9日(2019.5.9)
【手続補正１】
【補正対象書類名】実用新案登録請求の範囲
【補正対象項目名】請求項２
【補正方法】変更
【補正の内容】
【請求項２】
前記外側シートは、
実質的に同一の長方形状を有する第１主シート部および第２主シート部と、
前記第１主シート部の左右の短辺に各１つ設けられた第１押さえ部と、
前記第２主シート部の左右の短辺に各１つ設けられた第２押さえ部と、
前記第１主シート部の長辺の１つに設けられた第３押さえ部と、
前記第２主シート部の長辺の１つに設けられたフラップ部と、
を有し、
前記第１主シート部の別の長辺と前記第２主シート部の別の長辺とが接続され、
前記第１押さえ部および前記第３押さえ部を前記第１主シート部の内面に重ねるように折り畳むことにより、前記マスクの本体部および前記保護シートを挟み込んだ前記内側シートが前記第１主シート部の該内面上に保持され、
前記第２押さえ部を前記第２主シート部の内面に重ねるように折り畳むことにより、少なくとも１枚の予備の保護シートが前記第２主シート部の該内面上に保持され、
前記第２主シート部を該第２主シート部の内面と前記第１主シート部の内面とが対向するように折り畳み、かつ前記フラップ部を前記第１主シート部の外面に重なるように折り畳むことにより、前記フラップ部に設けられた係止舌部を該外面に設けられた係止孔部に係止させことが可能となる
ことを特徴とする請求項１に記載のマスクケース。